(57)【要約】【課題】拭き掃除のしやすい五徳、およびこの五徳を備えたガスコンロを提案する。【解決手段】五徳１は、天板２とガスバーナー３との間に形成される隙間Ｓ１を上方から覆うように平面視環状に設けられた板状のカバー４と、カバー４の外周面４０から外側に突出した複数の爪部５と、を備える。【選択図】図１
2019095135.tif 000002
【特許請求の範囲】
【請求項１】
天板とガスバーナーとの間に形成される隙間を上方から覆うように平面視環状に設けられた板状のカバーと、
前記カバーの外周面から外側に突出した複数の爪部と、を備えることを特徴とする五徳。
【請求項２】
前記複数の爪部は、
前記カバーから外側に突出した下片部と、前記下片部の外側の端部から上方に突出した側片部と、前記側片部の上端部から内側に突出した上片部とを含み、
前記下片部の上面は、平坦面であり、前記カバーの上面と面一に連続していることを特徴とする請求項１に記載の五徳。
【請求項３】
前記下片部の下面は、前記カバーの下面よりも下方に位置することを特徴とする請求項２に記載の五徳。
【請求項４】
前記複数の爪部は、
前記カバーから外側に突出した下片部を含み、
前記下片部の下面は、第一面と、前記第一面よりも外側に位置する第二面とを含み、
前記第二面は前記第一面よりも下方に位置し、且つ前記第一面と前記第二面とは段差無く連続していることを特徴とする請求項１乃至３のいずれか一項に記載の五徳。
【請求項５】
請求項１乃至４のいずれか一項に記載の五徳と、
前記ガスバーナーと、
前記ガスバーナーが挿通される貫通孔を有する前記天板と、を備え、
前記ガスバーナーは、前記貫通孔に挿通される筒状の挿通部を含み、
前記挿通部の外周面は、下側の部分ほど外側に位置するように設けられた凹曲面を含み、
前記五徳が前記天板に載った状態で、前記カバーの上面は、前記凹曲面に対して段差無く連続していることを特徴とするガスコンロ。
【請求項６】
請求項１乃至４のいずれか一項に記載の五徳と、
前記ガスバーナーと、
前記ガスバーナーが挿通される貫通孔を有する前記天板と、を備え、
前記ガスバーナーは、前記貫通孔に挿通される筒状の挿通部を含み、
前記挿通部の外周面は、下側の部分ほど外側に位置するように設けられた凹曲面を含み、
前記五徳が前記天板に載った状態で、前記カバーの上面は、前記凹曲面よりも下方に位置することを特徴とするガスコンロ。
【請求項７】
前記貫通孔に取り付けられるリング部材をさらに備え、
前記複数の爪部が前記天板に載った状態で、前記カバーは、前記リング部材との間に間隔をあけて位置することを特徴とする請求項５または６に記載のガスコンロ。
【発明の詳細な説明】
【技術分野】
【０００１】
本発明は、五徳、及び五徳を備えたガスコンロに関する。
【背景技術】
【０００２】
特許文献１に記載のガスコンロは、トッププレートに設けられたバーナー用開口に介装されるバーナーリングと、バーナーリングの外周に嵌まるように取り付けられる五徳と、バーナーリングを覆うように五徳の内側に取り付けられるリングカバーと、を備える。
【０００３】
バーナーリングの外周部と、リングカバーの外周部のそれぞれには、切欠きが設けられており、これらの切欠きには、五徳の爪部の下側の片が嵌まる。下側の片は、切欠きから上方に突出している。
【先行技術文献】
【特許文献】
【０００４】
【特許文献１】特開２０１１−１７９７２３号公報
【発明の概要】
【発明が解決しようとする課題】
【０００５】
ところで、特許文献１に記載のガスコンロでは、リングカバーの上面に煮汁がかかった場合に、リングカバーの一部に嵌まり、上方に突出した各爪部が邪魔になって、リングカバーの上面の拭き掃除がしにくいといった問題がある。また、特許文献１に記載のガスコンロでは、リングカバーと五徳の間の隙間に煮汁が浸入するおそれがあり、この隙間の拭き掃除もしにくいといった問題もある。
【０００６】
上記事情に鑑みて、本発明は、拭き掃除のしやすい五徳、およびこの五徳を備えたガスコンロを提案することを、目的とする。
【課題を解決するための手段】
【０００７】
本発明に係る一態様の五徳は、天板とガスバーナーとの間に形成される隙間を上方から覆うように平面視環状に設けられた板状のカバーと、前記カバーの外周面から外側に突出した複数の爪部と、を備える。
【０００８】
また、本発明に係る一態様のガスコンロは、前記の五徳と、前記ガスバーナーと、前記ガスバーナーが挿通される貫通孔を有する前記天板と、を備える。
【０００９】
前記ガスバーナーは、前記貫通孔に挿通される筒状の挿通部を含む。前記挿通部の外周面は、下側の部分ほど外側に位置するように設けられた凹曲面を含む。
【００１０】
前記五徳が前記天板に載った状態で、前記カバーの上面は、前記凹曲面に対して段差無く連続している。
【００１１】
また、本発明に係る一態様のガスコンロは、前記の五徳と、前記ガスバーナーと、前記ガスバーナーが挿通される貫通孔を有する前記天板と、を備える。
【００１２】
前記ガスバーナーは、前記貫通孔に挿通される筒状の挿通部を含む。前記挿通部の外周面は、下側の部分ほど外側に位置するように設けられた凹曲面を含む。
【００１３】
前記五徳が前記天板に載った状態で、前記カバーの上面は、前記凹曲面よりも下方に位置する。
【発明の効果】
【００１４】
本発明では、拭き掃除のしやすい五徳、およびこの五徳を備えたガスコンロを提案することができる。
【図面の簡単な説明】
【００１５】
【図１】図１は、本発明に係る一実施形態の五徳を備えたガスコンロを示す側断面図である。
【図２】図２は、同上のガスコンロを示す斜視図である。
【図３】図３は、同上の五徳を単体で示す斜視図である。
【図４】図４Ａは、同上の五徳を示す平面図であり、図４Ｂは、同上の五徳を示す底面図である。
【図５】図５は、同上の五徳を示す側面図である。
【発明を実施するための形態】
【００１６】
本発明は、五徳、及びこの五徳を備えたガスコンロに関し、詳しくは、複数の爪部をその内側に配されるカバーと一体に設けた五徳、及びこの五徳を備えたガスコンロに関する。
【００１７】
［実施形態］
（１）概要
図１、図２に示す一実施形態の五徳１は、天板２とガスバーナー３との間に形成される隙間Ｓ１を上方から覆うように平面視環状に設けられた板状のカバー４と、カバー４の外周面４０から外側に突出した複数の爪部５を備える。
【００１８】
ガスコンロ１００は、五徳１と、ガスバーナー３と、ガスバーナー３が挿通される貫通孔２０を有する天板２と、貫通孔２０に取り付けられるリング部材６を備える。ガスコンロ１００は、調理台（図示せず）のカウンターに形成された孔に、上方より挿入されて設置されるドロップインこんろである。なお、ガスコンロ１００は、テーブルこんろであってもよい。
【００１９】
以下では、図１、図２に示すように五徳１が天板２に載った設置状態を基準にして、上下方向を定義して、各構成について説明する。
【００２０】
（２）各構成の詳細
（２−１）五徳
図３には、本実施形態の五徳１が単体で示されている。図４Ａ、図４Ｂにも示すように、カバー４は、平面視円環状であり、上下方向に沿った厚み方向を有する板状である。図５に示すように、カバー４の上面４１と下面４２のそれぞれは、平坦面であり、上面４１と下面４２は平行である。図４Ａ、図４Ｂに示すように、カバー４は、その径方向の長さ（つまり外径と内径の差）が周方向に亘って一定である。
【００２１】
カバー４は、カバー４の中心Ｃ１に向けて開口した一対の切欠き４３を有する。一対の切欠き４３のそれぞれは、カバー４を厚み方向（上下方向）に貫通している。一対の切欠き４３は、周方向に１８０度の間隔をあけて位置し、互いに対向している。一対の切欠き４３は、複数の爪部５のうち、カバー４の中心Ｃ１を挟んで対向して位置する１組の爪部５に対して、平面視において同一直線上に位置する。
【００２２】
カバー４の外周面４０から、本実施形態では、６つの爪部５が外側に突出している。６つの爪部５は、放射状に、かつ周方向に６０度の間隔をあけて等間隔に位置する。６つの爪部５は、形状及び寸法が互いに同じである。
【００２３】
爪部５は、カバー４の周方向に沿った厚み方向を有する板状である。図５に示すように、爪部５の厚みとカバー４の厚みは、同じである。図３に示すように、爪部５は、カバー４の中心Ｃ１側に開口したコ字状である。
【００２４】
詳しくは、爪部５は、カバー４の外周面４０から外側（中心Ｃ１から離れる方向（径外方向））に突出した下片部５０と、下片部５０の外側の端部から上方に突出した側片部５１と、側片部５１の上端部から内側（中心Ｃ１に近づく方向（径内方向））に突出した上片部５２とを含む。下片部５０と側片部５１と上片部５２のそれぞれは、カバー４の周方向に沿った方向を厚み方向とする板状である。
【００２５】
図５に示すように、下片部５０は、上面５３と下面５４を有する。上面５３は、平坦面である。下面５４は、第一面５４ａと、第一面５４ａよりも外側に位置する第二面５４ｂを含む。
【００２６】
第二面５４ｂは、第一面５４ａよりも下方に位置し、かつ第一面５４ａと第二面５４ｂが段差無く連続している。第一面５４ａは、例えば上面５３に対して平行な平坦面であり、第二面５４ｂは、外側の部分ほど下方に位置するように傾斜した傾斜面である。
【００２７】
本実施形態では、第二面５４ｂは、鈍角を介して径外方向に連続した２つの傾斜面で構成されている。２つの傾斜面のうち、内側に位置する傾斜面は、外側に位置する傾斜面よりも水平方向に対する傾斜角度が僅かに大きい。第二面５４ｂは、内側に位置する傾斜面が第一面５４ａに対して鈍角を介して連続している。なお、第一面５４ａと第二面５４ｂや、第二面５４ｂの２つの傾斜面は、曲面を介することで段差無く連続してもよい。
【００２８】
下片部５０は、上面５３がカバー４の上面４１に対して面一に並ぶように、カバー４の外周面４０から外側に突出する。下片部５０の上下長さは、カバー４の上下長さ（厚み）よりも大きく、下片部５０の下面５４は、カバー４の下面４２よりも下方に位置する。下片部５０の上面５３は、カバー４の上面４１よりも外側に位置している。
【００２９】
側片部５１は、内側（中心Ｃ１に近づく方向（径内方向））を向く内側面５５と、外側（中心Ｃ１から離れる方向（径外方向））を向く外側面５６を有する。上片部５２は、上面５７と下面５８を有する。上面５７と下面５８は、内側の端部同士が凸曲面を介して連続している。上面５７は、鍋等の被加熱物が載せられる部分である。上片部５２は、その内側の端部がカバー４の上方に位置するように、径方向の長さが設定されている。
【００３０】
下片部５０の上面５３と側片部５１の内側面５５は、凹曲面を介して滑らかに連続し、側片部５１の内側面５５と上片部５２の下面５８は、凹曲面を介して滑らかに連続している。下片部５０の下面５４と側片部５１の外側面５６は、凸曲面を介して滑らかに連続し、側片部５１の外側面５６と上片部５２の上面５７は、凸曲面を介して滑らかに連続している。
【００３１】
６つの爪部５のうち、中心Ｃ１を挟んで対向して位置する一組の爪部５と、一対の切欠き４３とは、平面視において同一直線上に位置している。
【００３２】
五徳１は、カバー４と複数の爪部５のそれぞれが、例えばステンレス製である。カバー４と複数の爪部５とは、例えば溶接により接合される。なお、カバー４と複数の爪部５とは、鋳物等で一体に成形してもよい。
【００３３】
（２−２）天板
天板２は、例えば耐熱性を有する強化ガラスで形成される。図１に示すように、天板２の上面は、平坦面である。天板２には、ガスバーナー３が挿通される貫通孔２０が上下方向に貫通している。貫通孔２０は、円孔である。
【００３４】
（２−３）ガスバーナー
ガスバーナー３は、バーナー本体３０と、バーナー本体３０の上に載せられるバーナーキャップ３１とを備える。バーナーキャップ３１は、バーナー本体３０に対して着脱可能である。バーナー本体３０とバーナーキャップ３１との境界部分の外側（径外方向）に、円環状に並んだ複数の炎が形成される。
【００３５】
バーナー本体３０は、略円筒状の挿通部３２と、挿通部３２の下部の周方向の一部から径外方向に突出した混合管部（図示せず）とを有している。挿通部３２は、貫通孔２０に挿通され、天板２から上方に突出する部分である。
【００３６】
挿通部３２の外周面は、下側の部分ほど外側に位置するように設けられた凹曲面３３と、凹曲面３３の下端に連続する略鉛直な取付面３４とを含む。取付面３４の上部と凹曲面３３は、天板２よりも上方に位置する。凹曲面３３は、その下端部分が、円環状のカバー４の上面４１に対して略面一に並ぶように、形状及び配置が設定されている。これにより、凹曲面３３は、カバー４の上面４１に対して段差無く連続する。
【００３７】
凹曲面３３は、図２に示すように、挿通部３２の外周面のうち、周方向の一部（点火プラグ７が設けられる箇所）を除いた残りの部分全体に位置する。取付面３４は、挿通部３２の外周面に周方向に亘って位置する。凹曲面３３は、周方向に亘って、カバー４の上面４１に対して段差無く連続する。
【００３８】
（２−４）リング部材
図１に示すように、リング部材６は、平面視円環状で板状の上カバー部６０と、上カバー部６０から下方に突出した円筒状の筒部６１を含む。筒部６１の外径は、貫通孔２０の径よりも若干小さい。上カバー部６０の内径は、ガスバーナー３の取付面３４の外径よりも僅かに大きく、上カバー部６０の外径は、貫通孔２０の径よりも大きい。上カバー部６０は、貫通孔２０内における挿通部３２の水平方向の位置によらず（つまり、貫通孔２０の中央部に挿通部３２が位置しなくても）、隙間Ｓ１全体を上方から覆うように、径方向の長さが設定されている。
【００３９】
リング部材６は、図２に示すように、上カバー部６０の内周側の端部から上方に突出した一対の突起６２をさらに備える。一対の突起６２のそれぞれは、切欠き４３に対応した形状を有し、例えば円柱状である。
【００４０】
（３）ガスコンロ
続いて、図１に示す、五徳１が天板２に載った設置状態のガスコンロ１００について説明する。
【００４１】
天板２の貫通孔２０には、ガスバーナー３の挿通部３２が挿通されている。挿通部３２の外周面のうちの取付面３４には、リング部材６の上カバー部６０が嵌め合わされている。リング部材６は、上カバー部６０が天板２の上面に載せられ、筒部６１が貫通孔２０内に位置する。
【００４２】
五徳１は、挿通部３２を囲むように、天板２の上面に載せられている。五徳１のカバー４は、挿通部３２の外周面のうちの取付面３４に嵌め合わされ、一対の切欠き４３内に、リング部材６の一対の突起６２が嵌め込まれている。一対の突起６２の上面と、カバー４の上面とは面一に並んでいる（図２参照）。
【００４３】
五徳１は、複数の爪部５のそれぞれの下片部５０の下面５４のうちの第二面５４ｂが、天板２の上面に載っている。カバー４は、リング部材６との間に間隔をあけて位置している。
【００４４】
カバー４の上面４１は、挿通部３２の外周面のうちの凹曲面３３の下端部と、略面一に並んでおり、凹曲面３３に対して段差無く連続して位置している。
【００４５】
（４）作用効果
以上説明した本実施形態の五徳１では、複数の爪部５がカバー４から外側に突出して、カバー４の上面４１の全体が平坦であるため、カバー４の上面４１が雑巾等で拭き掃除しやすい。
【００４６】
また、本実施形態の五徳１では、ガスバーナー３と天板２の間の隙間Ｓ１を上方から覆うカバー４が、複数の爪部５と連続しているため、別体に設けて互いに嵌め合わせる場合に比べて、部品点数を抑えられるうえ、互いの境界部分への煮汁の浸入を防ぐことができる。
【００４７】
また、本実施形態の五徳１では、カバー４の上面４１と下面４２が共に平坦面であるため、上面４１と下面４２が共に拭き掃除しやすい。
【００４８】
また、本実施形態の五徳１では、カバー４の上面４１と複数の爪部５のそれぞれの下片部５０の上面５３とが面一に連続しているため、カバー４の上面４１と各下片部５０の上面５３の拭き掃除がスムーズに行える。なお、段差を介して連続する場合、段差に付着した汚れが取り除きにくい。
【００４９】
また、本実施形態の五徳１では、複数の爪部５のそれぞれの下片部５０の下面５４も、高さの異なる２つの面（第一面５４ａと第二面５４ｂ）が段差無く連続しているため、拭き掃除がしやすい。また、本実施形態の五徳１では、下面５４のうち、外側に低い第二面５４ｂが位置することで、五徳１を天板２に載せた状態でのがたつきが抑えられる。
【００５０】
また、本実施形態の五徳１では、複数の爪部５のそれぞれは、下片部５０、側片部５１及び上片部５２が、表面同士が滑らかに連続しているため、各爪部５の拭き掃除もしやすい。
【００５１】
また、本実施形態のガスコンロ１００では、ガスバーナー３の外周面に、カバー４の上面４１に対して段差無く連続する凹曲面３３を含むため、この凹曲面３３で受けた煮汁をカバー４の上面４１を伝わせて、カバー４の外側へと落下させやすく、ガスバーナー３とカバー４との間に煮汁が入り込むことを抑制することができる。
【００５２】
また、本実施形態のガスコンロ１００では、カバー４が、リング部材６との間に間隔をあけて位置するため、ガスバーナー３の熱がリング部材６へと伝わりにくく、リング部材６に煮汁がこびりつくことを抑制することができる。
【００５３】
（５）変形例
続いて、上述した実施形態の五徳１及びガスコンロ１００の変形例について説明する。
【００５４】
カバー４の平面視形状は、円環状に限らず、その他の形の環状であってもよく、また、内周面と外周面４０の形状が互いに異なってもよい。
【００５５】
複数の爪部５のそれぞれは、コ字状に限らず、階段状やＺ字状やロ字状等のその他の形状であってもよい。
【００５６】
複数の爪部５のそれぞれは、下片部５０の上面５３が、カバー４の上面４１よりも上方または下方に位置してもよい。また、複数の爪部５のそれぞれは、下片部５０の下面５４が、カバー４の下面４２と面一に位置してもよい。
【００５７】
複数の爪部５のそれぞれは、下片部５０の下面５４が、高さが一定の平坦面であってもよいし、下面５４の外側の端部にゴムパッキン等の緩衝部材が取り付けられ、下面５４のその他の部分が段差無く連続した面であってもよい。
【００５８】
ガスバーナー３と五徳１は、ガスバーナー３の凹曲面３３に対して、カバー４の上面４１が下方に位置するように設けられてもよい。
【００５９】
ガスコンロ１００は、リング部材６を備えなくてもよく、ガスバーナー３と天板２との間に形成される隙間Ｓ１は、カバー４だけで上方から覆い隠してもよい。
【００６０】
［まとめ］
上述した実施形態及びその変形例の五徳１のように、本発明に係る第一態様の五徳１は、下記の第一の特徴を備える。
【００６１】
すなわち、第一態様の五徳１は、天板２とガスバーナー３との間に形成される隙間Ｓ１を上方から覆うように平面視環状に設けられた板状のカバー４と、カバー４の外周面４０から外側に突出した複数の爪部５と、を備える。
【００６２】
上記の特徴を備えることで、第一態様の五徳１では、カバー４の上面４１に複数の爪部５による段差が形成されることを防いで、カバー４の上面４１を平坦に設けることができる。そのため、第一態様の五徳１では、カバー４の上面４１に煮汁が吹きこぼれた場合に、カバー４の上面４１の拭き掃除がしやすい。また、第一態様の五徳１では、カバー４に複数の爪部５が連続しているため、カバー４と各爪部５の間に隙間が出来なくて、この隙間への煮汁の浸入を防ぐことができる。
【００６３】
また、本発明に係る第二態様の五徳１は、第一態様の五徳１が備える特徴に加えて、下記の第二の特徴を備える。
【００６４】
すなわち、第二態様の五徳１では、複数の爪部５は、カバー４から外側に突出した下片部５０と、下片部５０の外側の端部から上方に突出した側片部５１と、側片部５１の上端部から内側に突出した上片部５２とを含む。下片部５０の上面５３は、平坦面であり、カバー４の上面４１と面一に連続している。
【００６５】
上記の特徴を備えることで、第二態様の五徳１では、カバー４の上面４１から、複数の爪部５のそれぞれの下片部５０の上面５３にかけて、拭き掃除を円滑に行える。
【００６６】
また、本発明に係る第三態様の五徳１は、第二態様の五徳１が備える特徴に加えて、下記の第三の特徴を備える。
【００６７】
すなわち、第三態様の五徳１では、下片部５０の下面５４は、カバー４の下面４２よりも下方に位置する。
【００６８】
上記の特徴を備えることで、第三態様の五徳１では、下片部５０を上下に厚く設けることができて、爪部５の強度を確保しやすい。
【００６９】
また、本発明に係る第四態様の五徳１は、第一乃至第三態様のいずれかの五徳１が備える特徴に加えて、下記の第四の特徴を備える。
【００７０】
すなわち、第四態様の五徳１では、複数の爪部５は、カバー４から外側に突出した下片部５０を含む。下片部５０の下面５４は、第一面５４ａと、第一面５４ａよりも外側に位置する第二面５４ｂとを含む。第二面５４ｂは第一面５４ａよりも下方に位置し、且つ第一面５４ａと第二面５４ｂとは段差無く連続している。
【００７１】
上記の特徴を備えることで、第四態様の五徳１では、各爪部５の下片部５０の下面５４の第一面５４ａと第二面５４ｂの拭き掃除を円滑に行える。
【００７２】
上述した実施形態及びその変形例のガスコンロ１００のように、本発明に係る第一態様のガスコンロ１００は、下記の第一の特徴を備える。
【００７３】
すなわち、第一態様のガスコンロ１００は、第一乃至第四態様のいずれかの五徳１と、ガスバーナー３と、ガスバーナー３が挿通される貫通孔２０を有する天板２と、を備える。ガスバーナー３は、貫通孔２０に挿通される筒状の挿通部３２を含む。挿通部３２の外周面は、下側の部分ほど外側に位置するように設けられた凹曲面３３を含む。
【００７４】
五徳１が天板２に載った状態で、カバー４の上面は、凹曲面３３に対して段差無く連続している。
【００７５】
上記の特徴を備えることで、第一態様のガスコンロ１００では、ガスバーナー３の凹曲面３３上にこぼれ落ちた煮汁を、カバー４の上面４１を伝わらせてカバー４の外側へと流すことができ、挿通部３２とカバー４との間の隙間に煮汁が浸入することを抑制することができる。
【００７６】
また、上述した実施形態の変形例のガスコンロ１００のように、本発明に係る第二態様のガスコンロ１００は、下記の第二の特徴を備える。
【００７７】
すなわち、第二態様のガスコンロ１００は、第一乃至第四態様のいずれかの五徳１と、ガスバーナー３と、ガスバーナー３が挿通される貫通孔２０を有する天板２と、を備える。ガスバーナー３は、貫通孔２０に挿通される筒状の挿通部３２を含む。挿通部３２の外周面は、下側の部分ほど外側に位置するように設けられた凹曲面３３を含む。
【００７８】
五徳１が天板２に載った状態で、カバー４の上面は、凹曲面３３よりも下方に位置する。
【００７９】
上記の特徴を備えることで、第二態様のガスコンロ１００では、ガスバーナー３の凹曲面３３上にこぼれ落ちた煮汁を、カバー４の上面４１を伝わらせてカバー４の外側へと流すことができ、挿通部３２とカバー４との間の隙間に煮汁が浸入することを抑制することができる。
【００８０】
また、本発明に係る第三態様のガスコンロ１００は、第一または第二態様のガスコンロ１００の特徴に加えて、下記の第三の特徴を備える。
【００８１】
すなわち、第三態様のガスコンロ１００は、貫通孔２０に取り付けられるリング部材６をさらに備える。複数の爪部５が天板２に載った状態で、カバー４は、リング部材６との間に間隔をあけて位置する。
【００８２】
上記の特徴を備えることで、第三態様のガスコンロ１００では、ガスバーナー３の熱が、カバー４を介してリング部材６に伝わることを抑制でき、リング部材６の上まで浸入した煮汁が蒸発して、リング部材６にこびりつくことを抑制することができる。
【００８３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８４】
１      五徳
２      天板
２０    貫通孔
３      ガスバーナー
３２    挿通部
３３    凹曲面
４      カバー
４０    外周面
４１    上面
４２    下面
５      爪部
５０    下片部
５１    側片部
５２    上片部
５３    上面
５４    下面
５４ａ  第一面
５４ｂ  第二面
６      リング部材
１００  ガスコンロ
Ｓ１    隙間
【図１】
2019095135.tif 000003
【図２】
2019095135.tif 000004
【図３】
2019095135.tif 000005
【図４】
2019095135.tif 000006
【図５】
2019095135.tif 000007